(57)【要約】【課題】この発明は、高輝度放電ランプの光をドーム状の反射板で反射させるようにした照明器具において、反射板の設計に折り込まれていない光の反射を可及的に排除し、意図しない光の放射を可及的に減少することを課題とするものである。【解決手段】この発明の照明器具は、高輝度放電ランプ４と、中央部に前記高輝度放電ランプの挿通穴を有し、高輝度放電ランプの光を反射するドーム状反射板３を備えた照明器具において、前記高輝度放電ランプの発光管４ａより反射板側に前記高輝度放電ランプのブリッジ部４ｂからの光が前記反射板側へ放射されることを阻止する遮蔽部材６を配設して構成する。【選択図】  図１
2010282928.tif 000002
【特許請求の範囲】
【請求項１】
高輝度放電ランプと、中央部に前記高輝度放電ランプの挿通穴を有し、高輝度放電ランプの光を反射するドーム状反射板を備えた照明器具において、前記高輝度放電ランプの発光管より反射板側に前記高輝度放電ランプのブリッジ部からの光が前記反射板側へ放射されることを阻止する遮蔽部材を配設した、照明器具
【請求項２】
遮蔽部材は、中央部に前記高輝度放電ランプの挿通穴を有し、反射板側に開いたテーパー状の遮蔽板とした、請求項１記載の照明器具
【請求項３】
遮蔽板は、高輝度放電ランプの発光管とブリッジ部との境界と、反射板の挿通穴の縁とを結ぶ線上に配設した、請求項２記載の照明器具
【請求項４】
遮蔽板の発光管側面は低反射面とした、請求項１ないし３の何れかに記載の照明器具
【請求項５】
遮蔽板の高輝度放電ランプの挿通穴の縁と高輝度放電ランプとは接触させた、請求項１ないし４の何れかに記載の照明器具  
【発明の詳細な説明】
【技術分野】
【０００１】
この発明は、高輝度放電ランプを装着した照明器具に関するものであり、意図しない光の分布を可及的に排除しようとするものである。
【背景技術】
【０００２】
従来の高輝度放電ランプを装着した照明器具の一例を図５に示す。
図５において、照明器具のハウジング１に一側に、中央部に前記高輝度放電ランプの挿通穴２を有し、高輝度放電ランプの光を反射するドーム状の反射板３が装着してあり、前記挿通穴２に高輝度放電ランプ４が装着してある。この高輝度放電ランプ４は中空のボディ５の先端側に装着してある。
前記高輝度放電ランプ４は発光管４ａの前後にこれを支持するためのブリッジ部４ｂ、４ｃが設けてあり、ブリッジ部４ｂ、４ｃも発光管４ａと同様にセラミック製である。そのために発光管４ａが発光したときブリッジ部４ｂ、４ｃも発光する。
ところで、前記前記反射板の設計は前記発光管４ａの中心を焦点として、発光管から発する光に基づいて行われている。そのために、ブリッジ部４ｂ、４ｃから発光された光は反射板の設計時に考慮されておらず制御することができない。
そして、係る光は反射板の設計において予定された光路をたどることなく、乱反射して放射されるので、受光面に意図しない光の分布が発生する。意図しない光の分布による照明効果への影響は、ビーム角が広いときには余り問題とならないが、ビーム角が狭い場合（例えば５〜６度）の場合は大きな問題となる。
【０００３】
従来、高輝度放電ランプの放射光を制御しようとする技術として、特開平１０−４０７２０号公報記載の発明が存在する。この発明は、壁面取付照明器具において高輝度放電ランプの非壁面側に発光部から上方に放射される光を器具本体（ハウジング）の下側に反射させる反射板を設けることにより、器具本体の上下に放射される光の色の差を低減させるようにしたものである。
【特許文献１】特開平１０−４０７２０号公報
【発明の開示】
【発明が解決しようとする課題】
【０００４】
この発明は、高輝度放電ランプの光をドーム状の反射板で反射させるようにした照明器具において、反射板の設計に折り込まれていない光の反射を可及的に排除し、意図しない光の放射を可及的に減少することを課題とするものである。
【課題を解決するための手段】
【０００５】
この発明は、高輝度放電ランプと、中央部に前記高輝度放電ランプの挿通穴を有し、高輝度放電ランプの光を反射するドーム状反射板を備えた照明器具において、前記高輝度放電ランプの発光管より反射板側に前記高輝度放電ランプのブリッジ部からの光が前記反射板側へ放射されることを阻止する遮蔽部材を配設したものである。
この遮蔽部材の具体的な態様としては、中央部に前記高輝度放電ランプの挿通穴を有し、反射板側に開いたテーパー状の遮蔽板（請求項２）や筒状とすることが考えられる。なお、テーパー状とすることが放熱性の点で優れている。
前記遮蔽部材は、高輝度放電ランプの発光管から発する光を遮らず、かつブリッジ部から発する光を遮るように配設することが好ましい。そのためには、遮蔽部材の基端は高輝度放電ランプの発光管とブリッジ部との境界に位置させることが好ましい。また遮蔽部材をテーパー状の遮蔽板とした場合は、このテーパー面を前記境界と反射板の挿通穴の縁とを結ぶ線上に配設することが最適である（請求項３）。尤も、遮蔽部材の一端は発光管とブリッジ部の境界よりも反射板の挿通穴側に位置したり、他端が反射板の挿通穴の縁ではなく反射面に接続したり、更には他端は反射板に接続せずに中途でとぎれる程度の大きさでも、一定の遮蔽効果を得ることができ、この発明の範囲に含まれるものである。
そして、ブリッジ部から発せられた光が遮光板に反射して照射されることを防止するために、遮蔽部材の発光管側面は低反射面、好ましくは無反射面とすることが適当である（請求項４）。
請求項５の発明は遮蔽部材の高輝度放電ランプの挿通穴の縁と高輝度放電ランプとを接触させたものである。
【発明の効果】
【０００６】
この発明によれば、高輝度放電ランプの発光管より反射板側に遮蔽部材を配設したので、高輝度発光ランプの反射板側のブリッジ部から発する光の一部は遮蔽部材に遮られてハウジングの開口側に至ることがない。そのためにブリッジ部から発する光の反射板からの放射を可及的に減殺することができ、反射板の設計時に意図しない光の放射を可及的に減少することができる。その結果、ビーム角５〜６度という狭角の照明器具においても、照射面に雑光が生ずることを可及的に回避できる。
なお、この発明において、上記従来例に示した開口部側のブリッジ部４ｃの光を制御することはできないが、ブリッジ部４ｃの光は反射板の焦点とずれることの悪影響は比較的小さい。
請求項５の発明によれば、遮蔽部材の高輝度放電ランプの挿通穴の縁と高輝度放電ランプとを接触させたので、遮蔽部材の挿通穴が高輝度放電ランプの位置を固定する機能を果たし、高輝度放電ランプの揺れを防止することができる。また、遮蔽部材を反射板に接続することにより、高輝度放電ランプの熱を遮蔽板を介して反射板から放熱することができる。
【発明を実施するための最良の形態】
【０００７】
以下この発明の実施の形態を図１ないし図３に基づいて説明する。
照明器具のハウジング１に一側に、中央部に高輝度放電ランプの挿通穴２を有し、高輝度放電ランプの光を反射するドーム状の反射板３が装着してある。高輝度放電ランプ４はソケット５に取り付けられている。
【０００８】
前記高輝度放電ランプ４は、外管４ｄ内の中央に発光管４ａを配設し、この発光管４ａの両側をブリッジ部４ｂ、４ｃで支持した構成でありこれらは前記反射板３の挿通穴２よりもハウジングの開口部１ａ側に位置している。
前記高輝度放電ランプ４と反射板３との間には遮蔽板６が配設してある。
【０００９】
この遮蔽板６は反射板３の挿入穴２に向けて広がるテーパー面で構成してあり、中央部には高輝度放電ランプ４の外管４ｄを挿通するための挿通穴７が設けてある。そして、この遮蔽板６のテーパー面の大きさ、角度は、前記挿通穴７が前記発光管４ａと前記ブリッジ部４ｂとの境界と反射板３の挿通穴２の縁を結ぶ線１０（図３参照）上に位置して外管４ｄに接し、テーパー面の周縁が反射板３の挿通穴２の縁に接するようにしてある。
また、前記遮蔽板６の発光管４ａ側の面は、塗装処理などにより低反射面としてあり、遮蔽板６の挿通穴７の縁部は、これが接触する高輝度放電ランプ４の外管４ｄの損傷を防ぐためにカーリング処理してある。
なお、遮蔽板６はそのフランジ６ａを利用して反射板に固定してある。
【００１０】
図１中符号８は高輝度放電ランプ４を取り付けるためのソケット台、符号９はソケット、符号１１は高輝度放電ランプ４から放射される直射光をカットするためにグレアカットキャップである。
【００１１】
この実施形態においては、遮蔽板６のテーパー面の大きさ、角度は、前記挿通穴７が前記発光管４ａと前記ブリッジ部４ｂとの境界と反射板３の挿通穴２の縁を結ぶ線上に位置して外管４ｄに接し、テーパー面の周縁が反射板３の挿通穴２の縁に接するようにしてあるので、発光管４ａの光は遮蔽板によって遮られることなく反射板から反射され、他方ブリッジ部４ｂの光の一部は遮蔽板で遮られて反射板３に至ることがない。したがって、反射板から制御し得ない光が反射されることが可及的に防止される。
【００１２】
表１はこの発明の遮蔽板を装着した照明器具と装着していない照明器具との比較データである。周辺部の光量が遮蔽板を装着することにより大幅に減少することが分かる。そして、周辺部の光量が少ないということは、設計時の照射予定範囲がスポット的に照射されていることを意味し、スポットライトとして設計に近い照射状態が得られていることを意味するものである。
ビーム角２．５度  器具から測定面までの距離は４ｍである。
【表１】
2010282928.tif 000003
【００１３】
図４は筒状とした遮蔽部材の例を示すものであり、遮蔽部材１２を高輝度放電ランプ４が挿通しえる筒状とし、高輝度放電ランプ４の発光管４ａとブリッジ部４ｂの境界と反射板３の挿通穴縁とを結ぶ線１０よりも反射板３の挿通穴側を覆うものとしてある。そして反射板３側には外鍔が形成してある。その開口端を反射板３に接続させてある。
図においては、筒上部を高輝度放電ランプ４の外管に近接させてあるが、放熱の要請から必要により数ミリ間隔を設ける。
【産業上の利用可能性】
【００１４】
この発明によれば、高輝度放電ランプのブリッジ部から発せられる光、反射板の設計に折り込まれていない光を遮蔽板によって排除することができ、もって可及的に設計値に近い光を放射することができるものであり、屋外照明用の光源などとしての利用可能性を有するものである。
【図面の簡単な説明】
【００１５】
【図１】この発明実施形態の一部を破断した正面図
【図２】同じく遮蔽板の斜視図
【図３】同じく遮蔽板の位置を示す断面図
【図４】同じく遮蔽部材を筒状とした断面図
【図５】従来例の一部を破断した正面図
【符号の説明】
【００１６】
１ ハウジング
２ 挿通穴
３ 反射板
４ 高輝度放電ランプ
４ａ 発光管
４ｂ ブリッジ部
４ｃ ブリッジ部
４ｄ 外管
５ ボディ
６ 遮蔽板
７ 挿通穴
【図１】
2010282928.tif 000004
【図２】
2010282928.tif 000005
【図３】
2010282928.tif 000006
【図４】
2010282928.tif 000007
【図５】
2010282928.tif 000008